(57)【要約】【課題】網戸の外観を良好にするとともに、網戸の取付け取り外しの作業性を良くする。【解決手段】網戸の框内部に配設されるケース部材１１と、該ケース部材１１にスライド可能に収容されるとともに、前記框の見込み面側に摘み部を有する施／解錠操作部材１２と、前記ケース部材１１に揺動自在に軸支された施錠部材１３とから構成され、前記施／解錠操作部材１２の没入操作によって、該施／解錠操作部材１２の先端が前記施錠部材１３に接触することによって前記施錠部材１３を室外側方向に突出するように揺動動作させ、突出部分が窓枠に係合することにより網戸の固定を図る網戸固定状態と、前記施／解錠操作部材１２の引抜操作によって、前記施錠部材１３を室内側方向に没入するように揺動動作させ、突出部分と窓枠との係合が解除されることにより網戸を取り外し可能な網戸解除状態とに切替え可能とされる。【選択図】図４
2010190013.tif 000002
【特許請求の範囲】
【請求項１】
網戸の框内部に配設されるケース部材と、該ケース部材にスライド可能に収容されるとともに、前記框の見込み面側に摘み部を有する施／解錠操作部材と、前記ケース部材に揺動自在に軸支された施錠部材とから構成され、
前記施／解錠操作部材の没入操作によって、該施／解錠操作部材の先端が前記施錠部材に接触することによって前記施錠部材を室外側方向に突出するように揺動動作させ、突出部分が窓枠に係合することにより網戸の固定を図る網戸固定状態と、
前記施／解錠操作部材の引抜操作によって、該施／解錠操作部材が前記施錠部材と非接触となることによって前記施錠部材を室内側方向に没入するように揺動動作させ、突出部分と窓枠との係合が解除されることにより網戸を取り外し可能な網戸解除状態とに切替え可能とされることを特徴とする網戸固定装置。
【請求項２】
前記施錠部材の施／解錠操作部材側の面が傾斜面とされ、前記施／解錠操作部材の先端が前記傾斜面を摺接し、前記施錠部材を押し退けるように移動させることにより該施錠部材を室外側方向に突出するように揺動動作させる請求項１記載の網戸固定装置。
【請求項３】
前記施錠部材は、バネ部材によって常時、室内側方向に没入するように付勢保持されている請求項１，２いずれかに記載の網戸固定装置。
【請求項４】
上框、下框及び縦框によって構成された框内に網戸が張設され、前記框内部に請求項１〜３いずれかに記載の網戸固定装置を備えたことを特徴とする網戸。
【請求項５】
請求項４記載の網戸を備えたことを特徴とするサッシ。
【発明の詳細な説明】
【技術分野】
【０００１】
本発明は、網戸を窓枠に固定するための網戸固定装置及び網戸、サッシに関する。
【背景技術】
【０００２】
一般に、建物開口部には、該建物開口部に固定される窓枠に対して、障子が開閉可能に取付けられるとともに、網戸が取付けられている。ここで、前記網戸を窓枠に固定するための網戸固定構造として種々のものが提案されている。
【０００３】
例えば、下記特許文献１では、窓枠の左右の縦框に面内方向に突出した突出片を有し、網戸の左右の縦框に網戸を窓枠に固定する網戸固定ピースが設けられ、該網戸固定ピースは、前記突出片に係止すべく面内外方向に回動可能に軸支され、一端に操作部を有する係止部材と、該係止部材を面外方向へ付勢する付勢部材とを備えた網戸固定ピースが開示されている。
【０００４】
また、下記特許文献２では、網戸の上下移動を規制することを目的として、網戸の上部２隅に配置されるコーナーピースに外れ止め部材を回動可能に設け、前記外れ止め部材は、網戸の取付け取り外し作業時には前方（室外側）に倒されており、網戸を取り付けたなら、前記外れ止め部材を起こして室外側側片部と小窓枠の上部区画面との間に介在させるようにしたものが開示されている。
【先行技術文献】
【特許文献】
【０００５】
【特許文献１】特開２００２−２６６５６９号公報
【特許文献２】特開２００７−１６２３７８号公報
【発明の概要】
【発明が解決しようとする課題】
【０００６】
しかしながら、上記特許文献１記載の網戸固定ピースでは、室内面側に操作摘み部を有する構造であるため、外観が損なわれるとともに、室内面側が窓額縁によって覆われる窓構造の場合は採用することができないなどの問題がある。
【０００７】
また、上記特許文献２記載の外れ止め部材では、前記外れ止め部材が網戸の室外側に倒されるものであるため、網戸の取付け取り外し作業を室外側から行わなければならず、作業性が悪かった。
【０００８】
そこで本発明の主たる課題は、網戸の外観を良好にするとともに、網戸の見込み面側での操作により網戸の取付け及び取り外し作業が行えるようにした網戸固定装置を提供することにある。
【課題を解決するための手段】
【０００９】
前記課題を解決するために請求項１に係る本発明として、網戸の框内部に配設されるケース部材と、該ケース部材にスライド可能に収容されるとともに、前記框の見込み面側に摘み部を有する施／解錠操作部材と、前記ケース部材に揺動自在に軸支された施錠部材とから構成され、
前記施／解錠操作部材の没入操作によって、該施／解錠操作部材の先端が前記施錠部材に接触することによって前記施錠部材を室外側方向に突出するように揺動動作させ、突出部分が窓枠に係合することにより網戸の固定を図る網戸固定状態と、
前記施／解錠操作部材の引抜操作によって、該施／解錠操作部材が前記施錠部材と非接触となることによって前記施錠部材を室内側方向に没入するように揺動動作させ、突出部分と窓枠との係合が解除されることにより網戸を取り外し可能な網戸解除状態とに切替え可能とされることを特徴とする網戸固定装置が提供される。
【００１０】
上記請求項１記載の発明では、網戸の框内部にケース部材を配設し、該ケース部材にスライド可能に収容されるとともに、前記框の見込み面側に摘み部を有する施／解錠操作部材と、この施／解錠操作部材によって揺動動作される施錠部材とから構成され、前記施錠部材を室外側方向に突出するように揺動動作させ、突出部分を窓枠に係合させることにより網戸の固定を図る網戸固定状態と、突出部分と窓枠との係合を解除することにより網戸を取り外し可能な網戸解除状態とに切替え可能とされる。
【００１１】
従って、框の室内面側に操作部材を有さず網戸の外観を良好にすることができる。また、網戸固定装置の網戸固定状態と網戸解除状態とに切替え操作する施／解錠操作部材は、框の見込み面側に摘み部を有するため、網戸の取付け及び取り外し作業が室内側から行うことができ、作業性が良好となる。
【００１２】
請求項２に係る本発明として、前記施錠部材の施／解錠操作部材側の面が傾斜面とされ、前記施／解錠操作部材の先端が前記傾斜面を摺接し、前記施錠部材を押し退けるように移動させることにより該施錠部材を室外側方向に突出するように揺動動作させる請求項１記載の網戸固定装置が提供される。
【００１３】
上記請求項２記載の発明は、前記施錠部材を施／解錠操作部材によって揺動動作させるに当たり、施錠部材の施／解錠操作部材側の面を傾斜面とし、前記施／解錠操作部材の先端が前記傾斜面を摺接し、前記施錠部材を押し退けるように移動させることにより該施錠部材を室外側方向に突出するように揺動動作させるようにしたものである。
【００１４】
請求項３に係る本発明として、前記施錠部材は、バネ部材によって常時、室内側方向に没入するように付勢保持されている請求項１，２いずれかに記載の網戸固定装置が提供される。
【００１５】
上記請求項３記載の発明は、網戸解除状態時に、前記施錠部材を没入状態に保持するために、施錠部材をバネ部材によって常時、室内側方向に没入するように付勢保持したものである。
【発明の効果】
【００１６】
以上詳説のとおり本発明によれば、網戸の外観を良好にできるとともに、網戸の取付け及び取り外しの作業性が良好となる。
【図面の簡単な説明】
【００１７】
【図１】本発明に係る網戸固定装置１を取り付けた窓の縦断面図である。
【図２】その横断面図である。
【図３】網戸固定装置１の分解斜視図である。
【図４】(A)は施錠状態、(B)は解錠状態を示す、網戸固定装置１の斜視図である。
【図５】施錠状態を示す、(A)は左側面図、(B)は正面図である。
【図６】解錠状態を示す、(A)は左側面図、(B)は正面図である。
【図７】ケース部材１１を示す、(A)は正面図、(B)は右側面図、(C)はC-C断面図である。
【図８】施錠部材１３を示す、(A)は正面図、(B)は右側面図、(C)は左側面図、(D)は平面図である。
【図９】施／解錠操作部材１２を示す、(A)は正面図、(B)は右側面図、(C)は平面図である。
【図１０】網戸固定装置１による固定状態を示す要部平面図である。
【発明を実施するための形態】
【００１８】
以下、本発明の実施の形態について図面を参照しながら詳述する。
図１は本発明に係る網戸固定装置１を取り付けた窓の縦断面図であり、図２はその横断面図、図３は網戸固定装置１の分解図である。
【００１９】
図１及び図２に示される横辷り出し窓２は、上框３Ａ、下框３Ｂ、縦框３Ｃ、３Ｄによって構成されたフレーム枠３内にパネルＰが嵌め込まれた障子４と、上枠５Ａ、下枠５Ｂ、縦枠５Ｃ，５Ｄからなり、前記障子４を収容する窓枠５とによって構成されている。前記障子４は、下枠５Ｂ側に回転ハンドル９を備え、居住者はこの回転ハンドル９を回転操作することにより、障子４を開閉することができるようになっている。
【００２０】
前記障子４の室外側には網戸６が備えられている。この網戸６は、上框７Ａ、下框７Ｂ、縦框７Ｃ，７Ｄによって構成された框７内に網材８が張設されたものであり、前記窓枠５に対して後述する網戸固定装置１によって固定されている。前記網戸６は、窓額縁１０Ａ〜１０Ｄの室外側面に框７Ａ〜７Ｄが設置されるようになっており、室内側からは前記網戸６の框７Ａ〜７Ｄが隠蔽されるようになっている。
【００２１】
前記網戸固定装置１は、図３に示されるように、網戸６の框７Ａ〜７Ｄの内の対向する一組の框又は２組の框の内部に配設されるケース部材１１と、該ケース部材１１にスライド可能に収容されるとともに、前記框７Ａ〜７Ｄの見込み面側に摘み部３５を有する施／解錠操作部材１２と、前記ケース部材１１内に軸部材１５によって揺動自在に軸支された施錠部材１３と、前記施錠部材１３を常時、室内側方向に没入するように付勢保持するバネ部材１４と、前記ケース部材１１の下端部に挿入設置されるケース固定バー１６とから主に構成され、
図４(A)に示されるように、前記施／解錠操作部材１２の没入操作によって、該施／解錠操作部材１２の先端が前記施錠部材１３に接触することによって前記施錠部材１３を室外側方向に突出するように揺動動作させ、突出部分が窓枠に係合することにより網戸６の固定を図る網戸固定状態と、図４(B)に示されるように、前記施／解錠操作部材１２の引抜操作によって、該施／解錠操作部材１２が前記施錠部材１３と非接触となることによって前記施錠部材１３を室内側方向に没入するように揺動動作させ、突出部分と窓枠との係合が解除されることにより網戸を取り外し可能な網戸解除状態とに切替え可能とされる。
【００２２】
以下、更に具体的に詳述する。
【００２３】
前記ケース部材１１は、図３及び図７に示されるように、直方体状のケース体であって、設置状態で内側となる側面に開口を臨ませた板状の中空部２０が形成されるとともに、この中空部２０は設置状態で室外側面となる側面に形成された開口部２１と連通している。前記中空部２０が前記施・解錠操作部材１２の挿入設置空間であり、前記開口部２１が前記施錠部材１３の設置空間とされる。前記開口部２１と同じ側面には、横コ字状に切り欠くことによって内外方向に弾性変形可能な突出片２２が形成されるとともに、この突出片の先端には前記中空部２０内に向けた突起２２ａが形成されている。この突起２２ａは前記施／解錠操作部材１２のスライドガイドである。
【００２４】
上部側には軸部材１５の設置孔２３が形成されるとともに、その上部側にバネ部材１４の嵌設凹部２４が形成されている。また、上部側面には下向きＵ字状のブラケット片２５が形成され、このブラケット片２５の突部２５ａが縦框７Ａ〜７Ｄに形成された孔部に嵌合することにより、ケース部材１１が框内部に固定されるようになっている。また、下側が段状部が形成され、この段状部材に孔部２６が形成され、ケース固定バー１６が挿入されるようになっている。このケース固定バー１６は、図３に示されるように、先端に設けた係合爪１６ａ、１６ｂが図５に示されるように、縦框７Ａ〜７Ｄに形成された孔部に嵌合することにより、ケース部材１１が框内部に固定されるようになっている。また、このケース固定バー１６を設置した状態で前記中空部２０の底面が塞がれるようになっている。
【００２５】
次いで、前記施錠部材１３は、詳細には図８に示されるように、上部側寄り位置に軸貫通孔３０を有し、前記ケース部材１１の開口部２１に対して軸部材１５によって水平軸回りに揺動自在に設置される。前記軸貫通孔３０よりも下側の揺動片１３Ｂの施／解錠操作部材側の面が傾斜面３１（斜線領域）とされ、前記施／解錠操作部材１２の先端が前記傾斜面３１を摺接し、施錠部材１３を押し退けるように移動させることにより、該施錠部材１３を室外側方向に突出するように揺動動作させるようになっている。前記軸貫通孔３０よりも上側の揺動片１３Ａの面にはバネ部材１４の嵌設凹部３２が形成されている。
【００２６】
前記施／解錠操作部材１２は、詳細には図９に示されるように、摘み部３５と、本体板状部３６と、衝合部３７とからなる略Ｈ形状の部材である。前記本体板状部３６の板面には、横Ｌ字状に溝３６ａが形成され、前記ケース部材１１の突起２２ａが係合するようになっている。前記衝合部３７は棒状とされ、上部側の突出部３７ａがロック片となっている。
【００２７】
組み立ては、図３に示されるように、前記施錠部材１３が前記ケース部材１１の開口部２１に対して軸部材１５によって水平軸回りに揺動自在に設置される。この際、上側の揺動片１３Ａとケース部材１１との間にはバネ部材１４が介在され、前記施錠部材１３はバネ部材１４によって常時、室内側方向に没入するように付勢保持されている。
【００２８】
前記ケース部材１１の中空部２０には、前記施／解錠操作部材１２が挿入設置される。衝合部３７側から中空部２０内に挿入し、ケース固定バー１６を設置することにより、抜け出ないように保持される。
【００２９】
網戸６の框７Ａ〜７Ｄ内部への設置は、図５に示されるように、ケース部材１１のブラケット片２５に形成された突部２５ａが縦框７Ａ〜７Ｄに形成された孔部に嵌合するとともに、ケース固定バー１６の係合爪１６ａ、１６ｂが縦框７Ａ〜７Ｄに形成された孔部に嵌合することにより、ケース部材１１が框内部に固定されるようになっている。
【００３０】
次に、前記網戸固定装置１の操作要領について、図４及び図５に基づいて詳述する。
【００３１】
図４(A)及び図５に示されるように、前記施／解錠操作部材１２を押し込むと、施／解錠操作部材１２の先端が前記施錠部材１３の傾斜面３１に摺接し、前記施錠部材１３を押し退けるように移動させることにより、該施錠部材１３を室外側方向に突出するように揺動動作させ、図１０に示されるように、突出部分（下側揺動片１３Ｂの下部）が窓枠に係合することにより網戸６の固定を図る網戸固定状態となる。また、前記施／解錠操作部材１２を押し込んだ後、上側にスライドさせると、施／解錠操作部材１２の衝合部３７の突出部３７ａがケース部材１１の外部に突出し、段状に形成された外側面に強く接触状態で係合することによりロック状態となる。
【００３２】
また、網戸６を取り外すには、図４(B)及び図６に示されるように、前記施／解錠操作部材１２の引抜操作によって、該施／解錠操作部材１２が前記施錠部材１３と非接触となることによって前記施錠部材１３を室内側方向に没入するように揺動動作し、突出部分（下側揺動片１３Ｂの下部）と窓枠との係合が解除されることにより網戸を取り外し可能な網戸解除状態となる。
【００３３】
〔他の形態例〕
(1)上記形態例では、横辷り出し窓２に備えられる網戸６について詳述したが、外倒し窓、引き違い窓、内倒し窓など他の形態の窓に備えられる網戸についても同様にして適用できる。
(2)上記形態例では、左右一対の網戸固定装置１を網戸６の左右の縦框７Ｃ、７Ｄ内部に設けるようにしたが、網戸固定装置１の配置場所及び取付数量などは任意に設定することができる。
【符号の説明】
【００３４】
１…網戸固定装置、２…横辷り出し窓、３…フレーム枠、４…障子、５…窓枠、６…網戸、７…框、８…網材、１１…ケース部材、１２…施／解錠操作部材、１３…施錠部材、１４…バネ部材、１５…軸部材、１６…ケース固定バー
【図１】
2010190013.tif 000003
【図２】
2010190013.tif 000004
【図３】
2010190013.tif 000005
【図４】
2010190013.tif 000006
【図５】
2010190013.tif 000007
【図６】
2010190013.tif 000008
【図７】
2010190013.tif 000009
【図８】
2010190013.tif 000010
【図９】
2010190013.tif 000011
【図１０】
2010190013.tif 000012